(57)【要約】【課題】ＤＶＤ−ＡＵＤＩＯディスク再生装置において、ディスクに音声圧縮データに加えて映像圧縮データが記録されている場合でも、ユーザがディスクに記録された映像圧縮データのデコード処理を行うか否かを選択することができるようにして、ＣＰＵ等の内蔵回路の負荷を小さくし、メモリの使用量を少なくする。【解決手段】映像信号の再生処理を行うように設定されているときには（Ｓ１でＹＥＳ）、ユーザにより制御部に対して再生の指示が与えられると、制御部が、Ａ＿ＰＣＫとＶ＿ＰＣＫとをオーディオデコーダとビデオデコーダとによりデコードして、音声信号と映像信号とを再生する（Ｓ５）。これに対して、映像信号の再生処理を行わないように設定されているときには（Ｓ１でＮＯ）、ユーザにより制御部に対して再生の指示が与えられると、制御部は、Ａ＿ＰＣＫ６８のみをオーディオデコーダによりデコードして、音声信号のみを再生する（Ｓ３）。【選択図】図８
2005339665.tif 000002
【特許請求の範囲】
【請求項１】
オーディオコンテンツ等を格納したＤＶＤ−ＡＵＤＩＯディスクの記録領域内に記録された映像、音声等の圧縮データを読み取るデータ読取手段と、
前記データ読取手段により読み取られた映像圧縮データをデコードして映像信号を再生する映像デコーダと、
前記データ読取手段により読み取られた音声圧縮データをデコードして音声信号を再生する音声デコーダと、
前記映像デコーダにより再生された映像信号、及び前記音声デコーダにより再生された音声信号を出力する出力手段と、
前記データ読取手段、前記映像デコーダ、及び前記音声デコーダを制御する制御手段と、
前記制御手段に対して再生、停止等の指示を与えるための操作手段とを備えたＤＶＤ−ＡＵＤＩＯディスク再生装置において、
テレビジョン放送信号の受信を行う放送信号受信手段と、
前記テレビジョン放送信号受信手段により受信されたテレビジョン放送信号に対して所定の信号処理を行って放送映像信号や放送音声信号を再生する放送信号再生手段と、
前記映像デコーダによる映像信号の再生処理を行うか否かの設定を行うための設定手段とをさらに備え、
前記制御手段は、前記放送信号受信手段と前記放送信号再生手段とをさらに制御し、
前記出力手段は、前記放送信号再生手段により再生された放送映像信号と放送音声信号とをさらに出力し、
前記設定手段を用いて前記映像デコーダによる映像信号の再生処理を行うように設定されているときには、前記操作手段を用いてユーザにより前記制御手段に対して再生の指示が与えられると、前記制御手段が、前記ＤＶＤ−ＡＵＤＩＯディスクの記録領域内に記録された音声管理情報であるＡＭＧＩ（Audio Manager Information）内のＡＴＴ＿ＳＲＰＴ（Audio Title Search Pointer Table）を参照して、再生対象となるＡＯＢ（Audio Object）とＶＯＢ（Video Object）とをサーチし、サーチしたＡＯＢに含まれる音声圧縮データを前記音声デコーダによりデコードすると共に、サーチしたＶＯＢに含まれる映像圧縮データを前記映像デコーダによりデコードするように制御し、
前記設定手段を用いて前記映像デコーダによる映像信号の再生処理を行わないように設定されているときには、前記操作手段を用いてユーザにより前記制御手段に対して再生の指示が与えられると、前記制御手段が、前記ＤＶＤ−ＡＵＤＩＯディスクの記録領域内に記録された音声管理情報であるＡＭＧＩ内のＡＯＴＴ＿ＳＲＰＴ（Audio Only Title Search Pointer Table）を参照して、再生対象となるＡＯＢをサーチし、サーチしたＡＯＢに含まれる音声圧縮データを前記音声デコーダによりデコードすると共に、前記放送信号再生手段による放送映像信号の再生処理を行うように制御することを特徴とするＤＶＤ−ＡＵＤＩＯディスク再生装置。
【請求項２】
オーディオコンテンツ等を格納したＤＶＤ−ＡＵＤＩＯディスクの記録領域内に記録された映像、音声等の圧縮データを読み取るデータ読取手段と、
前記データ読取手段により読み取られた映像圧縮データをデコードして映像信号を再生する映像デコーダと、
前記データ読取手段により読み取られた音声圧縮データをデコードして音声信号を再生する音声デコーダと、
前記映像デコーダにより再生された映像信号、及び前記音声デコーダにより再生された音声信号を出力する出力手段と、
前記データ読取手段、前記映像デコーダ、及び前記音声デコーダを制御する制御手段と、
前記制御手段に対して再生、停止等の指示を与えるための操作手段とを備えたＤＶＤ−ＡＵＤＩＯディスク再生装置において、
前記映像デコーダによる映像信号の再生処理を行うか否かの設定を行うための設定手段をさらに備え、
前記設定手段を用いて前記映像デコーダによる映像信号の再生処理を行うように設定されているときには、前記操作手段を用いてユーザにより前記制御手段に対して再生の指示が与えられると、前記制御手段が、前記音声デコーダによる音声圧縮データのデコード処理と前記映像デコーダによる映像圧縮データのデコード処理とを行い、
前記設定手段を用いて前記映像デコーダによる映像信号の再生処理を行わないように設定されているときには、前記操作手段を用いてユーザにより前記制御手段に対して再生の指示が与えられると、前記制御手段が、前記映像デコーダによる映像圧縮データのデコード処理を行わず、前記音声デコーダによる音声圧縮データのデコード処理のみを行うようにしたことを特徴とするＤＶＤ−ＡＵＤＩＯディスク再生装置。
【請求項３】
前記設定手段を用いて前記映像デコーダによる映像信号の再生処理を行うように設定されているときには、前記操作手段を用いてユーザにより前記制御手段に対して再生の指示が与えられると、前記制御手段が、前記ＤＶＤ−ＡＵＤＩＯディスクの記録領域内に記録された音声管理情報であるＡＭＧＩ内のＡＴＴ＿ＳＲＰＴを参照して、再生対象となるＡＯＢとＶＯＢとをサーチし、サーチしたＡＯＢに含まれる音声圧縮データを前記音声デコーダによりデコードすると共に、サーチしたＶＯＢに含まれる映像圧縮データを前記映像デコーダによりデコードするように制御し、
前記設定手段を用いて前記映像デコーダによる映像信号の再生処理を行わないように設定されているときには、前記操作手段を用いてユーザにより前記制御手段に対して再生の指示が与えられると、前記制御手段が、前記ＤＶＤ−ＡＵＤＩＯディスクの記録領域内に記録された音声管理情報であるＡＭＧＩ内のＡＯＴＴ＿ＳＲＰＴを参照して、再生対象となるＡＯＢをサーチし、サーチしたＡＯＢに含まれる音声圧縮データを前記音声デコーダによりデコードするように制御することを特徴とする請求項２に記載のＤＶＤ−ＡＵＤＩＯディスク再生装置。
【発明の詳細な説明】
【技術分野】
【０００１】
本発明は、ＤＶＤ−ＡＵＤＩＯディスクの記録領域内に記録された映像、音声等の圧縮データに基づいて、映像信号や音声信号を再生するＤＶＤ−ＡＵＤＩＯディスク再生装置に関する。
【背景技術】
【０００２】
従来の映像再生機能を有するＤＶＤ−ＡＵＤＩＯディスク再生装置は、音声圧縮データに加えて映像圧縮データが記録されたＤＶＤ−ＡＵＤＩＯディスクがトレイにセットされた状態で、ユーザにより再生の指示が与えられると、制御部が、ＤＶＤ−ＡＵＤＩＯディスクの記録領域内に記録された音声管理情報であるＡＭＧＩ（Audio Manager Information）内のＡＴＴ＿ＳＲＰＴ（Audio Title Search Pointer Table）を参照して、再生対象となるＡＯＢ（Audio Object）とＶＯＢ（Video Object）とをサーチする。そして、サーチしたＡＯＢに含まれる音声圧縮データを装置内部の音声デコーダによりデコードして音声信号を再生すると共に、サーチしたＶＯＢに含まれる映像圧縮データを装置内部の映像デコーダによりデコードして映像信号を再生する。
【０００３】
ところで、この種の装置において、メニューの表示や、表示メニュー上におけるユーザ操作の受付を行うことなく、ＤＶＤ−ＶＩＤＥＯディスクに格納された音声圧縮データに基づいて音声信号を再生することが可能なＤＶＤオーディオ再生装置が知られている（例えば、特許文献１参照）。また、光ディスクに、映像情報と音声情報とを含むビデオオブジェクトのみを再生する際に使用する第１の再生経路の情報と、ビデオオブジェクトとオーディオオブジェクトの両方を再生する際に使用する第２の再生経路の情報とを格納しておいて、再生モードが映像情報と音声情報を再生する第１の再生モードである場合には、第１の再生経路に沿ってビデオオブジェクトに含まれる映像情報と音声情報とを再生し、再生モードが音声情報のみを再生する第２の再生モードである場合には、ビデオオブジェクトに含まれる音声情報とオーディオオブジェクトに含まれる音声情報とを再生するようにしたものが知られている（例えば、特許文献２参照）。さらにまた、コンピュータシステムの分野において、動画再生ウィンドの少なくとも一部が他のアプリケーションプログラム等のウィンドによって隠されていることが検出された場合に、隠れている部分の画像データのデコードを行わずに、音声データのデコードのみを行うようにしたものが知られている（例えば、特許文献３参照）。
【０００４】
しかしながら、上記のように、ＤＶＤ−ＡＵＤＩＯディスクに音声圧縮データに加えて映像圧縮データが記録されている場合に、例外なく音声圧縮データと映像圧縮データの両方のデコード処理を行うＤＶＤ−ＡＵＤＩＯディスク再生装置では、ユーザがＤＶＤ−ＡＵＤＩＯディスクに記録された映像圧縮データをデコードする必要がないと考えているときでも、映像圧縮データをデコードして、上記の再生装置に接続された液晶モニタ等の表示装置に映像信号を出力してしまうので、音声圧縮データのデコード処理のみを行った場合と比べて、ＣＰＵ等の内蔵回路の負荷が大きくなり、メモリの使用量が多くなってしまうという問題があった。なお、上記特許文献１乃至３に示される発明では、上記の問題を解決することはできない。
【特許文献１】特開２００４−７４２３号公報
【特許文献２】特開２００１−１１０１７０号公報
【特許文献３】特開２００１−５６７２８号公報
【発明の開示】
【発明が解決しようとする課題】
【０００５】
本発明は、上記の問題を解決するためになされたものであり、ＤＶＤ−ＡＵＤＩＯディスクに音声圧縮データに加えて映像圧縮データが記録されている場合でも、ユーザがＤＶＤ−ＡＵＤＩＯディスクに記録された映像圧縮データのデコード処理を行うか否かを選択することができるようにして、ＣＰＵ等の内蔵回路の負荷を小さくし、メモリの使用量を少なくすることが可能なＤＶＤ−ＡＵＤＩＯディスク再生装置を提供することを目的とする。
【課題を解決するための手段】
【０００６】
上記目的を達成するために請求項１の発明は、オーディオコンテンツ等を格納したＤＶＤ−ＡＵＤＩＯディスクの記録領域内に記録された映像、音声等の圧縮データを読み取るデータ読取手段と、データ読取手段により読み取られた映像圧縮データをデコードして映像信号を再生する映像デコーダと、データ読取手段により読み取られた音声圧縮データをデコードして音声信号を再生する音声デコーダと、映像デコーダにより再生された映像信号、及び音声デコーダにより再生された音声信号を出力する出力手段と、データ読取手段、映像デコーダ、及び音声デコーダを制御する制御手段と、制御手段に対して再生、停止等の指示を与えるための操作手段とを備えたＤＶＤ−ＡＵＤＩＯディスク再生装置において、テレビジョン放送信号の受信を行う放送信号受信手段と、テレビジョン放送信号受信手段により受信されたテレビジョン放送信号に対して所定の信号処理を行って放送映像信号や放送音声信号を再生する放送信号再生手段と、映像デコーダによる映像信号の再生処理を行うか否かの設定を行うための設定手段とをさらに備え、制御手段は、放送信号受信手段と放送信号再生手段とをさらに制御し、出力手段は、放送信号再生手段により再生された放送映像信号と放送音声信号とをさらに出力し、設定手段を用いて映像デコーダによる映像信号の再生処理を行うように設定されているときには、操作手段を用いてユーザにより制御手段に対して再生の指示が与えられると、制御手段が、ＤＶＤ−ＡＵＤＩＯディスクの記録領域内に記録された音声管理情報であるＡＭＧＩ（Audio Manager Information）内のＡＴＴ＿ＳＲＰＴ（Audio Title Search Pointer Table）を参照して、再生対象となるＡＯＢ（Audio Object）とＶＯＢ（Video Object）とをサーチし、サーチしたＡＯＢに含まれる音声圧縮データを音声デコーダによりデコードすると共に、サーチしたＶＯＢに含まれる映像圧縮データを映像デコーダによりデコードするように制御し、設定手段を用いて映像デコーダによる映像信号の再生処理を行わないように設定されているときには、操作手段を用いてユーザにより制御手段に対して再生の指示が与えられると、制御手段が、ＤＶＤ−ＡＵＤＩＯディスクの記録領域内に記録された音声管理情報であるＡＭＧＩ内のＡＯＴＴ＿ＳＲＰＴ（Audio Only Title Search Pointer Table）を参照して、再生対象となるＡＯＢをサーチし、サーチしたＡＯＢに含まれる音声圧縮データを音声デコーダによりデコードすると共に、放送信号再生手段による放送映像信号の再生処理を行うように制御するものである。
【０００７】
請求項２の発明は、オーディオコンテンツ等を格納したＤＶＤ−ＡＵＤＩＯディスクの記録領域内に記録された映像、音声等の圧縮データを読み取るデータ読取手段と、データ読取手段により読み取られた映像圧縮データをデコードして映像信号を再生する映像デコーダと、データ読取手段により読み取られた音声圧縮データをデコードして音声信号を再生する音声デコーダと、映像デコーダにより再生された映像信号、及び音声デコーダにより再生された音声信号を出力する出力手段と、データ読取手段、映像デコーダ、及び音声デコーダを制御する制御手段と、制御手段に対して再生、停止等の指示を与えるための操作手段とを備えたＤＶＤ−ＡＵＤＩＯディスク再生装置において、映像デコーダによる映像信号の再生処理を行うか否かの設定を行うための設定手段をさらに備え、設定手段を用いて映像デコーダによる映像信号の再生処理を行うように設定されているときには、操作手段を用いてユーザにより制御手段に対して再生の指示が与えられると、制御手段が、音声デコーダによる音声圧縮データのデコード処理と映像デコーダによる映像圧縮データのデコード処理とを行い、設定手段を用いて映像デコーダによる映像信号の再生処理を行わないように設定されているときには、操作手段を用いてユーザにより制御手段に対して再生の指示が与えられると、制御手段が、映像デコーダによる映像圧縮データのデコード処理を行わず、音声デコーダによる音声圧縮データのデコード処理のみを行うものである。
【０００８】
請求項３の発明は、請求項２に記載のＤＶＤ−ＡＵＤＩＯディスク再生装置において、設定手段を用いて映像デコーダによる映像信号の再生処理を行うように設定されているときには、操作手段を用いてユーザにより制御手段に対して再生の指示が与えられると、制御手段が、ＤＶＤ−ＡＵＤＩＯディスクの記録領域内に記録された音声管理情報であるＡＭＧＩ内のＡＴＴ＿ＳＲＰＴを参照して、再生対象となるＡＯＢとＶＯＢとをサーチし、サーチしたＡＯＢに含まれる音声圧縮データを音声デコーダによりデコードすると共に、サーチしたＶＯＢに含まれる映像圧縮データを映像デコーダによりデコードするように制御し、設定手段を用いて映像デコーダによる映像信号の再生処理を行わないように設定されているときには、操作手段を用いてユーザにより制御手段に対して再生の指示が与えられると、制御手段が、ＤＶＤ−ＡＵＤＩＯディスクの記録領域内に記録された音声管理情報であるＡＭＧＩ内のＡＯＴＴ＿ＳＲＰＴを参照して、再生対象となるＡＯＢをサーチし、サーチしたＡＯＢに含まれる音声圧縮データを音声デコーダによりデコードするように制御するものである。
【発明の効果】
【０００９】
請求項１の発明によれば、映像デコーダによる映像信号の再生処理を行うように設定されているときには、ユーザにより再生の指示が与えられると、ＤＶＤ−ＡＵＤＩＯディスクの記録領域内に記録された音声圧縮データと映像圧縮データとが、音声デコーダと映像デコーダとによりデコードされて、デコード結果の音声信号と映像信号が出力される。これに対して、映像デコーダによる映像信号の再生処理を行わないように設定されているときには、ユーザにより再生の指示が与えられると、ＤＶＤ−ＡＵＤＩＯディスクの記録領域内に記録された音声圧縮データと映像圧縮データのうち、音声圧縮データのみが音声デコーダによりデコードされて、デコード結果の音声信号が出力されると共に、放送信号再生手段により再生された放送映像信号が出力される。これにより、ＤＶＤ−ＡＵＤＩＯディスクに音声圧縮データに加えて映像圧縮データが記録されている場合でも、ユーザがＤＶＤ−ＡＵＤＩＯディスクに記録された音声圧縮データと映像圧縮データの両方の再生処理を行うか否かを選択することができるので、例外なく音声圧縮データと映像圧縮データの両方のデコード処理を行った場合と比べて、ＤＶＤ−ＡＵＤＩＯディスクに記録された圧縮データのデコード処理に必要なＣＰＵ等の内蔵回路の負荷を減らし、メモリの使用量を減らすことができる。また、ユーザが、この再生装置に接続されたテレビ等の装置で、ＤＶＤ−ＡＵＤＩＯディスクの記録領域内に記録された音声圧縮データに基づく音声を聴きながら、テレビジョン放送信号に基づく放送映像を視ることができるので、ユーザの楽しみ方にバリエーションを与えることができる。
【００１０】
請求項２の発明によれば、映像デコーダによる映像信号の再生処理を行うように設定されているときには、ユーザにより再生の指示が与えられると、音声デコーダによる音声圧縮データのデコード処理と映像デコーダによる映像圧縮データのデコード処理とが行われる。これに対して、映像デコーダによる映像信号の再生処理を行わないように設定されているときには、ユーザにより再生の指示が与えられると、映像デコーダによる映像圧縮データのデコード処理が行われず、音声デコーダによる音声圧縮データのデコード処理のみが行われる。これにより、ＤＶＤ−ＡＵＤＩＯディスクに音声圧縮データに加えて映像圧縮データが記録されている場合でも、ユーザがＤＶＤ−ＡＵＤＩＯディスクに記録された映像圧縮データのデコード処理を行うか否かを選択することができるので、例外なく音声圧縮データと映像圧縮データの両方のデコード処理を行った場合と比べて、ＣＰＵ等の内蔵回路の負荷を減らし、メモリの使用量を減らすことができる。また、上記のように、ＤＶＤ−ＡＵＤＩＯディスクに記録された音声圧縮データと映像圧縮データのうち、音声圧縮データのデコード処理のみを行うことが可能であることから、ユーザが、この再生装置に接続されたテレビ等の装置で、ＤＶＤ−ＡＵＤＩＯディスクの記録領域内に記録された音声圧縮データに基づく音声を聴きながら、テレビジョン放送信号やデジタルビデオの映像圧縮データに基づく放送映像を視ることができる。従って、ユーザの楽しみ方にバリエーションを与えることができる。
【００１１】
請求項３の発明によれば、映像デコーダによる映像信号の再生処理を行うように設定されているときには、ユーザにより制御手段に対して再生の指示が与えられると、制御手段が、ＤＶＤ−ＡＵＤＩＯディスクの記録領域内に記録された音声管理情報であるＡＭＧＩ内のＡＴＴ＿ＳＲＰＴを参照して、再生対象となるＡＯＢとＶＯＢとをサーチし、サーチしたＡＯＢに含まれる音声圧縮データを音声デコーダによりデコードすると共に、サーチしたＶＯＢに含まれる映像圧縮データを映像デコーダによりデコードするように制御し、映像デコーダによる映像信号の再生処理を行わないように設定されているときには、ユーザにより制御手段に対して再生の指示が与えられると、制御手段が、ＤＶＤ−ＡＵＤＩＯディスクの記録領域内に記録された音声管理情報であるＡＭＧＩ内のＡＯＴＴ＿ＳＲＰＴを参照して、再生対象となるＡＯＢをサーチし、サーチしたＡＯＢに含まれる音声圧縮データを音声デコーダによりデコードするように制御する。これにより、上記請求項２に記載の効果を的確に得ることができる。
【発明を実施するための最良の形態】
【００１２】
本発明を実施するための最良の形態について図面を参照して説明する。本発明は、映像再生機能を有するＤＶＤ−ＡＵＤＩＯディスク再生装置に関するものであり、ユーザがＤＶＤ−ＡＵＤＩＯディスクに記録された映像圧縮データのデコード処理を行うか否かを選択することができるようにしたものである。なお、以下に記載した実施形態は、本発明を網羅するものではなく、本発明は、下記の形態だけに限定されない。
【００１３】
図１は、本実施形態によるＤＶＤ−ＡＵＤＩＯディスク再生装置の構成を示す。まず、このＤＶＤ−ＡＵＤＩＯディスク再生装置（以下、再生装置と略す）１内の部材のうち、ＤＶＤ−ＡＵＤＩＯディスク（以下、ディスクと略す）２の記録領域内に記録された圧縮データのデコードに係る部材について説明する。再生装置１は、トレイに装着されたディスク２を回転駆動するスピンドルモータ３、ディスク２に記録されている情報をＲＦ信号の形式で出力する光ピックアップ４（データ読取手段）、光ピックアップ４から出力されたＲＦ信号の２値化処理等を行うＲＦ回路５、及びＲＦ回路５による処理後のデータに対してデータ復調や誤り訂正等のデコード処理を施すデータデコーダ６を備えている。また、再生装置１は、データデコーダ６でデコード処理が施されたデータを主映像圧縮データ、副映像圧縮データ、及び各種の音声圧縮データに振り分けるデマルチプレクサ７、主映像圧縮データを復号するビデオデコーダ８（映像デコーダ）、副映像圧縮データを復号して字幕等を再生するサブピクチャデコーダ９、各種の音声圧縮データを復号するオーディオデコーダ１０（音声デコーダ）を備えている。
【００１４】
図中の加算器１１は、ビデオデコーダ８から送られた主映像とサブピクチャデコーダ９から送られた字幕等の副映像とを合成し、また、Ｄ／Ａ変換処理部１２は、加算器１１により合成された映像データや、オーディオデコーダ１０により復号された音声データをアナログ信号に変換する。また、ビデオ出力端子１３とオーディオ出力端子１４とは、それぞれＤ／Ａ変換処理部１２から送られた映像信号と音声信号とを液晶ディスプレイ３６に出力する。これらの出力端子１３、１４は、請求項における出力手段に相当する。
【００１５】
また、再生装置１は、装置全体の制御を行う制御部２０（制御手段）、及び装置本体に対して再生・停止等の指示や各種の設定を行うためのリモコン３０を有している。制御部２０には、上記のスピンドルモータ３、ＲＦ回路５、データデコーダ６、デマルチプレクサ７、ビデオデコーダ８、サブピクチャデコーダ９、オーディオデコーダ１０及び加算器１１に加えて、各種の設定データ等を格納したＲＡＭ２１、装置に再生、停止等の指示を与えるための操作部２２、各種のメッセージを表示する表示部２３、レジューム情報等のデータを一時的に記憶するバッファ２４、及びリモコン３０から送信された赤外線信号を受信する赤外線信号受信部２５が接続されている。上記のＲＡＭ２１に格納されている設定データには、ビデオデコーダ８による映像信号の再生処理を行うか否かの設定データが含まれている。また、上記のリモコン３０及び操作部２２が請求項における操作手段に相当する。
【００１６】
上記のリモコン３０は、各種のキーからなるキー部３１と赤外線信号発信部３２とを有している。キー部３１には、電源キー３３、数字入力用のキー、及びカーソル移動キーに加えて、ビデオデコーダ８による映像信号の再生処理を行うか否かの設定を行うための選択キー３４（設定手段）が配設されている。
【００１７】
次に、再生装置１内の部材のうち、ＤＶＤ−ＡＵＤＩＯディスクの記録領域内に記録された圧縮データのデコードに係る部材について説明する。再生装置１は、アンテナ３５に接続されてディジタルＴＶ放送信号の受信を行うチューナ１５（放送信号受信手段）と、チューナ１５で受信したディジタルＴＶ放送信号に対して所定の信号処理を行い、復号化するＡＴＳＣ（Advanced Televison System Committee）フロントエンド１６とを有している。ＡＴＳＣフロントエンド１６から出力されたＭＰＥＧ（Motion Picture Experts Group）圧縮されたＴＶ放送信号のデコードは、上記のビデオデコーダ８、サブピクチャデコーダ９、及びオーディオデコーダ１０により行われる。従って、請求項１における放送信号再生手段は、主に上記のＡＴＳＣフロントエンド１６、ビデオデコーダ８、サブピクチャデコーダ９、及びオーディオデコーダ１０から構成されている。
【００１８】
次に、図２を参照して、上記のディスク２内のデータ構造について説明する。ディスク２内の記録領域には、オーディオコンテンツを格納するためのオーディオゾーン４１と、ビデオコンテンツを格納するためのビデオゾーン４２が設けられている。オーディオゾーン４１は、オーディオコンテンツ用の再生管理情報であるＳＡＭＧ（Simple Audio Manager）４３とＡＭＧ（Audio Manager）４４、及び実際のオーディオコンテンツのデータが格納されている１つ以上のＡＴＳ(Audio Title Set)４６等から構成されている。ビデオゾーン４２は、ビデオコンテンツ用の再生管理情報であるＶＭＧ（Video Manager）４７と、実際のビデオコンテンツのデータが格納されている１つ以上のＶＴＳ(Vudio Title Set)４８等から構成されている。
【００１９】
次に、図３を参照して、上記のＡＭＧ４４内のデータ構造について説明する。ＡＭＧ４４は、管理情報の実体的な部分であるＡＭＧＩ（Audio Manager Information）５１と、ＡＭＧ４４用のビデオオブジェクトセットであるＡＭＧＭ＿ＶＯＢＳ（Video Object Set For AMGM）５２と、ＡＭＧＩのバックアップデータであるＡＭＧＩ＿ＢＵＰ（Backup of AMGI）５３とから構成されている。また、上記のＡＭＧＩ５１は、ＡＭＧＩ５１のファイルサイズや記録アドレス等の情報を含むＡＭＧＩ＿ＭＡＴ（AMGMI Management Table）５４と、オーディオタイトル（ＡＴＴ）用のサーチポインタテーブルであるＡＴＴ＿ＳＲＰＴ（ATT Search Pointer Table）５５と、オーディオオンリータイトル（ＡＯＴＴ）用のサーチポインタテーブルであるＡＯＴＴ＿ＳＲＰＴ（AOTT Search Pointer Table）５６と、メニューの再生順序が記述されているＡＭＧＭ＿ＰＧＣＩ＿ＵＴ（AMGM_PGCI Unit Table）５７と、文字情報を表示するための情報が格納されたＡＴＸＴＤＴ＿ＭＧ（Audio Text Data Manager）５８とから構成されている。上記のＡＯＴＴは、ＤＶＤ−ＡＵＤＩＯディスク再生装置用のタイトルであり、オーディオプレイパートのオーディオ情報のみを再生するためのタイトルである。また、上記のＡＴＴは、オーディオ情報のみから構成される上記のＡＯＴＴと、付随するビデオ情報を含むオーディオ情報から構成されるオーディオウィズビデオタイトル（ＡＶＴＴ）との総称である。
【００２０】
次に、図４を参照して、図２中のＡＴＳ４６内のデータ構造について説明する。ＡＴＳ４６は、１以上のオーディオオブジェクト（ＡＯＢ）からなるＡＯＴＴ＿ＡＯＢＳ（Audio Object Set for AOTT）６２と、ＡＯＢの再生順序を管理するＡＴＳＩ（Audio Title Set Information）６１と、このＡＴＳＩ６１のバックアップデータであるＡＴＳＩ＿ＢＵＰ（Backup of ATSI）６３とから構成されている。また、図に示されるように、上記のＡＴＳＩ６１は、ＡＴＳＩ６１のヘッダ情報であるＡＴＳＩ＿ＭＡＴ（ATSI Management Table）６４と、ＡＴＳプログラムの再生順序が記述されているＡＴＳ＿ＰＧＣＩＴ（ATS Program Chain Information Table）６５とを有している。
【００２１】
次に、図５を参照して、上記のＡＯＴＴ＿ＡＯＢＳ６２内のデータ構造について説明する。ＡＯＴＴ＿ＡＯＢＳ６２は、１以上のＡＯＴＴ用のオーディオオブジェクト（ＡＯＴＴ＿ＡＯＢ）６７から構成されている。また、各ＡＯＴＴ＿ＡＯＢ６７は、１以上のＡ＿ＰＣＫ（Audio Pack）６８から構成されている。このＡ＿ＰＣＫ６８が、請求項１におけるＡＯＢに含まれる音声圧縮データに相当する。
【００２２】
次に、図６を参照して、上記図２中のＶＴＳ４８内のデータ構造について説明する。ＶＴＳ４８は、１以上のビデオオブジェクト（ＶＯＢ）からなるＡＶＴＴ＿ＶＯＢＳ（Video Object Set for AVTT）７２と、ＶＯＢの再生順序を管理するＶＴＳＩ（Video Title Set Information）７１と、このＶＴＳＩ７１のバックアップデータであるＶＴＳＩ＿ＢＵＰ（Backup of VTSI）７３とから構成されている。また、図に示されるように、上記のＶＴＳＩ７１は、ＶＴＳＩ７１のヘッダ情報であるＶＴＳＩ＿ＭＡＴ（VTSI Management Table）７４と、ビデオタイトルセット部のタイトルサーチポインタの数と複数の開始ＰＧＣ番号を含むＶＴＳ＿ＰＴＴ＿ＳＲＰＴ（VTS PTT Search Pointer Table）７５と、ＶＴＳプログラムの再生順序が記述されているＶＴＳ＿ＰＧＣＩＴ（VTS Program Chain Information Table）７６等から構成されている。
【００２３】
次に、図７を参照して、上記のＡＶＴＴ＿ＶＯＢＳ７２内のデータ構造について説明する。ＡＶＴＴ＿ＶＯＢＳ７２は、１以上のＡＶＴＴ用のビデオオブジェクト（ＶＯＢ）８１から構成されている。１つのＶＯＢ８１は、１以上のＣｅｌｌ８２から構成されており、また、１つのＣｅｌｌ８２は、１以上のＶＯＢＵ（Video Object Unit）８３から構成されている。また、１つのＶＯＢＵ８３には、１つのＮＶ＿ＰＣＫ（Navigation Pack）８４に加えて、１以上のＡ＿ＰＣＫ（Audio Pack）８５と、１以上のＶ＿ＰＣＫ（Video Pack）８６と、１以上のＳＰ＿ＰＣＫ（Subpicture Pack）８７とが含まれ得る。このＶ＿ＰＣＫ（Video Pack）８６が、請求項１における映像圧縮データに相当する。
【００２４】
次に、図８のフローチャートを参照して、上記再生装置１の再生処理について説明する。再生処理に先立って、ユーザが、リモコン３０の選択キー３４を用いて、ビデオデコーダ８による映像信号の再生処理を行うか否かを選択すると、制御部２０は、選択された内容に応じた設定データをＲＡＭ２１に格納する。そして、リモコン３０を用いてユーザにより制御部２０に対して再生の指示が与えられると、制御部２０は、ＲＡＭ２１内に記憶された上記の設定データを参照して、ビデオデコーダ８による映像信号の再生処理を行わないように設定されているときには（Ｓ１でＮＯ）、図３に示されるＡＭＧＩ５１内のＡＯＴＴ＿ＳＲＰＴ５６を参照して、再生対象となるＡＯＴＴ＿ＡＯＢ６７（図５参照）をサーチする（Ｓ２）。そして、サーチしたＡＯＴＴ＿ＡＯＢ６７に含まれる音声圧縮データ（Ａ＿ＰＣＫ６８（図５参照））をオーディオデコーダ１０によりデコードして、再生した音声信号を液晶ディスプレイ３６側に出力すると共に（Ｓ３）、チューナ１５で受信したディジタルＴＶ放送の映像信号をＡＴＳＣフロントエンド１６とビデオデコーダ８とで再生して、液晶ディスプレイ３６側に出力する。なお、ビデオデコーダ８による映像信号の再生処理を行わないように設定されているときに、制御部２０が、必ずしも、上記のように、ディジタルＴＶ放送の映像信号を液晶ディスプレイ３６側に出力するように制御する必要はなく、例えば、液晶ディスプレイ３６側にブルーバックに相当する映像信号を送信するようにしてもよい。
【００２５】
これに対して、上記Ｓ１の判定処理で、ビデオデコーダ８による映像信号の再生処理を行うように設定されているときには（Ｓ１でＹＥＳ）、制御部２０は、図３に示されるＡＭＧＩ５１内のＡＴＴ＿ＳＲＰＴ５５を参照して、再生対象となるＡＯＴＴ＿ＡＯＢ６７（図５参照）とＶＯＢ８１（図７参照）とをサーチする（Ｓ４）。そして、サーチしたＡＯＴＴ＿ＡＯＢ６７に含まれるＡ＿ＰＣＫ６８（図５参照）と、サーチしたＶＯＢ８１に含まれるＶ＿ＰＣＫ８６（図７参照）とを、オーディオデコーダ１０とビデオデコーダ８とによりデコードして、再生した音声信号と映像信号を液晶ディスプレイ３６側に出力する（Ｓ５）。
【００２６】
上記制御部２０は、再生対象となる全てのデータの再生が終了するまで（Ｓ６でＮＯ）、上記Ｓ１乃至Ｓ５の処理を繰り返す。
【００２７】
上述したように、本実施形態の再生装置１によれば、ビデオデコーダ８による映像信号の再生処理を行うように設定されているときには、リモコン３０を用いてユーザにより制御部２０に対して再生の指示が与えられると、ＡＯＴＴ＿ＡＯＢ６７に含まれるＡ＿ＰＣＫ６８とＶＯＢ８１に含まれるＶ＿ＰＣＫ８６とが、オーディオデコーダ１０とビデオデコーダ８とによりデコードされて、デコード結果の音声信号と映像信号が出力される。これに対して、ビデオデコーダ８による映像信号の再生処理を行わないように設定されているときには、リモコン３０を用いてユーザにより制御部２０に対して再生の指示が与えられると、上記のＡ＿ＰＣＫ６８とＶ＿ＰＣＫ８６のうち、Ａ＿ＰＣＫ６８のみがオーディオデコーダ１０によりデコードされて、デコード結果の音声信号が出力されると共に、ディジタルＴＶ放送の映像信号が出力される。これにより、ディスク２に音声圧縮データ（Ａ＿ＰＣＫ６８）に加えて映像圧縮データ（Ｖ＿ＰＣＫ８６）が記録されている場合でも、ユーザがディスク２に記録された音声圧縮データと映像圧縮データの両方の再生処理を行うか否かを選択することができるので、例外なく音声圧縮データと映像圧縮データの両方のデコード処理を行った場合と比べて、ディスク２に記録された圧縮データのデコード処理に必要な制御部２０等の内蔵回路の負荷を減らし、ＲＡＭ２１の使用量を減らすことができる。また、ユーザが、この再生装置１に接続された液晶ディスプレイ３６で、ディスク２の記録領域内に記録された音声圧縮データに基づく音声を聴きながら、ディジタルＴＶ放送の映像を視ることができるので、ユーザの楽しみ方にバリエーションを与えることができる。
【００２８】
なお、本発明は、上記実施形態に限られるものではなく、様々な変形が可能である。例えば、本実施形態では、ビデオデコーダ８による映像信号の再生処理を行わないように設定されているときに、ディジタルＴＶ放送の映像信号が液晶ディスプレイ３６側に出力されるようにしたが、ビデオデコーダによる映像信号の再生処理を行わないように設定されているときには、ビデオ出力端子１３から全く信号を出力しないようにしてもよいし、ディジタルＴＶ放送以外の映像信号（例えば、アナログＴＶ放送の映像信号）をビデオ出力端子１３から出力するようにしてもよい。また、ＤＶＤ−ＡＵＤＩＯディスク再生装置は、再生専用のものに限られず、レコーダタイプのものでもよい。
【図面の簡単な説明】
【００２９】
【図１】本発明の一実施形態に係るＤＶＤ−ＡＵＤＩＯディスク再生装置の電気的ブロック構成図。
【図２】上記再生装置の読取対象となるＤＶＤ−ＡＵＤＩＯディスクに記録されたデータの構造を示す図。
【図３】図２中のＡＭＧ内のデータ構造を示す図。
【図４】図２中のＡＴＳ内のデータ構造を示す図。
【図５】図４中のＡＯＴＴ＿ＡＯＢＳ内のデータ構造を示す図。
【図６】図２中のＶＴＳ内のデータ構造を示す図。
【図７】図６中のＡＶＴＴ＿ＶＯＢＳ内のデータ構造を示す図。
【図８】上記再生装置の再生処理を示すフローチャート。
【符号の説明】
【００３０】
１    ＤＶＤ−ＡＵＤＩＯディスク再生装置
２    ＤＶＤ−ＡＵＤＩＯディスク
４    光ピックアップ（データ読取手段）
８    ビデオデコーダ（映像デコーダ、放送信号再生手段）
９    サブピクチャデコーダ（放送信号再生手段）
１０  オーディオデコーダ（音声デコーダ、放送信号再生手段）
１３  ビデオ出力端子（出力手段）
１４  オーディオ出力端子（出力手段）
１６  ＡＴＳＣフロントエンド（放送信号再生手段）
２０  制御部（制御手段）
２２  操作部（操作手段）
３０  リモコン（操作手段）
３４  選択キー（設定手段）
５１  ＡＭＧＩ
５５  ＡＴＴ＿ＳＲＰＴ
５６  ＡＯＴＴ＿ＳＲＰＴ
６７  ＡＯＴＴ＿ＡＯＢ（ＡＯＢ）
６８  Ａ＿ＰＣＫ（音声圧縮データ）
８１  ＶＯＢ
８６  Ｖ＿ＰＣＫ（映像圧縮データ）
【図１】
2005339665.tif 000003
【図２】
2005339665.tif 000004
【図３】
2005339665.tif 000005
【図４】
2005339665.tif 000006
【図５】
2005339665.tif 000007
【図６】
2005339665.tif 000008
【図７】
2005339665.tif 000009
【図８】
2005339665.tif 000010